(57)【要約】  【課題】  アンテナパターンのデザイン変更に容易に対応することのできる無線ＩＣタグを提供する。  【解決手段】  無線ＩＣタグ１は、ベースシート２の接着面上に載置されたＩＣチップ３と、ベースシート２の接着面上に導線で一筆書きをすることによって形成される一筆書きアンテナパターン４とを備える。ＩＣチップ３は、導線が電気的に接続される少なくとも二つの端子５を有し、一筆書きアンテナパターン４は、ＩＣチップ３の正極側端子５から出発し、第１のアンテナループ６を描いた後に、正極側端子５へ戻り、ＩＣチップ３の負極側端子５から出発し、第２のアンテナループ６を描いた後に、負極側端子５へ戻るように構成されている。【選択図】  図１
2010263406.tif 000002
【特許請求の範囲】
【請求項１】
ベースシートの接着面上に載置されたＩＣチップと、
前記ベースシートの接着面上において導線で一筆書きをすることによって形成されるアンテナパターンであって、前記ＩＣチップを始点かつ終点とする一筆書きアンテナパターンと、
を備える無線ＩＣタグにおいて、
前記ＩＣチップは、前記導線が電気的に接続される少なくとも二つの端子を有し、
前記一筆書きアンテナパターンは、前記ＩＣチップの第１の端子から出発し、第１のアンテナループを描いた後に、前記第１の端子へ戻り、前記ＩＣチップの第２の端子から出発し、第２のアンテナループを描いた後に、前記第２の端子へ戻るように構成されていることを特徴とする無線ＩＣタグ。
【請求項２】
前記第１のアンテナループは、前記ＩＣチップを中心とした第１の渦巻き状部分と、前記ＩＣチップの側方に広がる第１のループ状部分を備え、
前記第２のアンテナループは、前記ＩＣチップを中心とした第２の渦巻き状部分と、前記第１のループ状部分とは反対側の前記ＩＣチップの側方に広がる第２のループ状部分を備える、請求項１に記載の無線ＩＣタグ。
【請求項３】
ベースシートの接着面上に、ＩＣチップを載置することと、
前記ベースシートの接着面上において、前記ＩＣチップを始点かつ終点とする一筆書きアンテナパターンを導線で描くことと、
を含む無線ＩＣタグの製造方法において、
前記ＩＣチップは、前記導線が電気的に接続される少なくとも二つの端子を有し、
前記一筆書きアンテナパターンは、前記ＩＣチップの第１の端子から出発し、第１のアンテナループを描いた後に、前記第１の端子へ戻り、前記ＩＣチップの第２の端子から出発し、第２のアンテナループを描いた後に、前記第２の端子へ戻るように構成されていることを特徴とする無線ＩＣタグの製造方法。
【請求項４】
前記ベースシートの接着面上に、複数の前記ＩＣチップを並べて載置することと、
一つのＩＣチップの前記一筆書きアンテナパターンを描いた後に、前記一のＩＣチップから隣りのＩＣチップに連絡する連絡路パターンを描いて、前記隣りのＩＣチップの前記一筆書きアンテナパターンを描くことと、
前記隣りのＩＣチップの前記一筆書きアンテナパターンを描いた後に、前記連絡路パターンの導線を切断することと、
を含む、請求項３に記載の無線ＩＣタグの製造方法。
【発明の詳細な説明】
【技術分野】
【０００１】
本発明は、アンテナパターンのデザイン変更に容易に対応でき、特に、少量多種の無線ＩＣタグの製造に適した無線ＩＣタグに関する。
【背景技術】
【０００２】
近年、商品の在庫情報や各種の料金情報などの情報管理を行うために、無線ＩＣタグが用いられている。無線ＩＣタグは、種々の情報が記憶されるＩＣチップと、無線通信を行うためのアンテナ（アンテナパターン）を備えており、リーダ装置との無線通信により、ＩＣチップからの情報の読出しや情報の書込みが行われる（例えば特許文献１参照）。
【０００３】
従来、このような無線ＩＣタグを製造する場合には、例えば、まずエッチング等によってベース材の上にアンテナパターンを形成した後、ＩＣチップの接続用端子（ストラップともいう）がアンテナパターンに重なるようにＩＣチップをベース材の上に置いて、ＩＣチップの接続用端子とアンテナパターンを電気的に接続させる。
【先行技術文献】
【特許文献】
【０００４】
【特許文献１】特開２００３−４４８１７号公報
【発明の概要】
【発明が解決しようとする課題】
【０００５】
しかしながら、従来の無線ＩＣタグでは、アンテナパターンのデザインに応じたエッチング用の型を用意する必要がある。したがって、アンテナパターンのデザインを変えると、それに応じてエッチング用の型も変えなければならず、型の製造コストという多大な費用がかかってしまう。つまり、アンテナパターンのデザイン変更に対応することが困難であり、特に、少量多種の無線ＩＣタグの製造には向いていないという問題があった。また、エッチングには加工精度の限界があり、アンテナパターンの幅を非常に小さく（線のように細く）すること（例えば、数１０μｍにする）が困難であるという問題があった。
【０００６】
本発明は、上記の課題に鑑みてなされたもので、アンテナパターンのデザイン変更に容易に対応することのできる無線ＩＣタグを提供することを目的とする。
【課題を解決するための手段】
【０００７】
本発明の無線ＩＣタグは、ベースシートの接着面上に載置されたＩＣチップと、前記ベースシートの接着面上において導線で一筆書きをすることによって形成されるアンテナパターンであって、前記ＩＣチップを始点かつ終点とする一筆書きアンテナパターンと、を備える無線ＩＣタグであって、前記ＩＣチップは、前記導線が電気的に接続される少なくとも二つの端子を有し、前記一筆書きアンテナパターンは、前記ＩＣチップの第１の端子から出発し、第１のアンテナループを描いた後に、前記第１の端子へ戻り、前記ＩＣチップの第２の端子から出発し、第２のアンテナループを描いた後に、前記第２の端子へ戻るように構成されている。
【０００８】
これにより、ベースシートの接着面上に導線で一筆書きをすることによって、無線ＩＣタグのアンテナパターンを容易に形成することができる。したがって、アンテナパターンのデザイン変更にも容易に対応することができる。
【０００９】
また、本発明の無線ＩＣタグでは、前記第１のアンテナループは、前記ＩＣチップを中心とした第１の渦巻き状部分と、前記ＩＣチップの側方に広がる第１のループ状部分を備え、前記第２のアンテナループは、前記ＩＣチップを中心とした第２の渦巻き状部分と、前記第１のループ状部分とは反対側の前記ＩＣチップの側方に広がる第２のループ状部分を備えてもよい。
【００１０】
これにより、第１と第２の渦巻き状部分のアンテナパターンのデザインを変えることによって、インダクタンスＬの値を調整することができる。例えば、第１と第２の渦巻き状部分の巻き数や大きさ（縦と横の長さ）を大きくすることによって、インダクタンスＬの値を大きくすることができる。また、第１と第２のループ状部分のアンテナパターンのデザインを変えることによって、電波を受信しやすさを調整することができる。例えば、第１と第２のループ状部分の大きさ（ループの直径）を大きくすることによって、電波を受信しやすくすることができる。
【００１１】
本発明の無線ＩＣタグの製造方法は、ベースシートの接着面上に、ＩＣチップを載置することと、前記ベースシートの接着面上において、前記ＩＣチップを始点かつ終点とする一筆書きアンテナパターンを導線で描くことと、を含む無線ＩＣタグの製造方法において、前記ＩＣチップは、前記導線が電気的に接続される少なくとも二つの端子を有し、前記一筆書きアンテナパターンは、前記ＩＣチップの第１の端子から出発し、第１のアンテナループを描いた後に、前記第１の端子へ戻り、前記ＩＣチップの第２の端子から出発し、第２のアンテナループを描いた後に、前記第２の端子へ戻るように構成されている。
【００１２】
これにより、ベースシートの接着面上に導線で一筆書きをすることにより、無線ＩＣタグのアンテナパターンを容易に形成することができる。したがって、アンテナパターンのデザイン変更にも容易に対応することが可能であり、様々なアンテナパターンのデザインを持つ無線ＩＣタグ（特に、少量多種の無線ＩＣタグ）の製造に適している。この場合、細い導線を用いることにより、エッチング加工では製造が困難な線の幅の小さい（細い）アンテナパターンでも容易に製造することができる。
【００１３】
また、この場合、ＩＣチップの少なくとも二つの端子（例えば、第１と第２の端子）から、それぞれアンテナループ（例えば、第１と第２のアンテナループ）が形成される。すなわち、複葉（例えば、二葉）のアンテナループ（ループ状のアンテナ）がＩＣチップの端子からそれぞれ広げられている。したがって、直線状のアンテナがＩＣチップの端子から延びている場合に比べて、アンテナの感度が高くなり、電波を受信しやすくなる。
【００１４】
また、本発明の無線ＩＣタグの製造方法は、前記ベースシートの接着面上に、複数の前記ＩＣチップを並べて載置することと、一つのＩＣチップの前記一筆書きアンテナパターンを描いた後に、前記一のＩＣチップから隣りのＩＣチップに連絡する連絡路パターンを描いて、前記隣りのＩＣチップの前記一筆書きアンテナパターンを描くことと、前記隣りのＩＣチップの前記一筆書きアンテナパターンを描いた後に、前記連絡路パターンの導線を切断することと、を含んでもよい。
【００１５】
これにより、複数の無線ＩＣタグのアンテナパターンを一筆書きで連続して形成することができる。したがって、複数の無線ＩＣタグを連続的に効率よく製造することができる。
【発明の効果】
【００１６】
本発明によれば、アンテナパターンのデザイン変更に容易に対応することができ、特に、少量多種の無線ＩＣタグの製造に適した無線ＩＣタグを提供することができる。
【図面の簡単な説明】
【００１７】
【図１】図１は、本発明の実施の形態における無線ＩＣタグの構成の説明図である。
【図２】図２は、本発明の実施の形態における無線ＩＣタグの製造方法の説明図である。
【図３】図３は、無線ＩＣタグの製造方法において用いられる一筆書き用ガイドの説明図である。
【図４】図４は、第１のアンテナループ（渦巻き状部分とループ状部分）を描く様子を示す説明図である。
【図５】図５は、第２のアンテナループ（渦巻き状部分とループ状部分）を描く様子を示す説明図である。
【図６】図６は、複数の一筆書きアンテナパターンを連続して描画する様子を示す説明図である。
【図７】図７は、複数の無線ＩＣタグが製造された様子を示す説明図である。
【発明を実施するための形態】
【００１８】
以下、本発明の実施の形態の無線ＩＣタグについて、図面を用いて説明する。本実施の形態の無線ＩＣタグは、例えば、本の背表紙に入れられて、図書館での蔵書管理システムに用いられる。あるいは、採血管の底やシャーレの側面などに貼り付けられて、病院や検査機関での検体管理システムに用いられる。
【００１９】
本発明の実施の形態の無線ＩＣタグの構成を、図面を参照して説明する。図１は、本実施の形態の無線ＩＣタグの構成を説明するための図である。図１に示すように、無線ＩＣタグ１は、ベースシート２（例えば、ロール紙など）の接着面上に載置されたＩＣチップ３と、ＩＣチップ３を始点かつ終点とする一筆書きアンテナパターン４を備えている。この一筆書きアンテナパターン４は、アンテナパターン（例えば、超短波帯のアンテナパターン）の端をなぞるように、ベースシート２の接着面上において導線（例えば、コイル線など）で「一筆書き」をすることによって形成される（図２など参照）。
【００２０】
図１の例では、ＩＣチップ３の両側に、一対の接続用端子５（正極側端子５と負極側端子５）が設けられており、一筆書きアンテナパターン４を描いた導線は、これらの接続用端子５に電気的に接続される。導線と接続用端子５との接続方法には、例えばワイヤーボンディングなどの熱圧着法やＡＣＦ法などが利用される。
【００２１】
一筆書きアンテナパターン４は、正極側端子５（図１における右側の接続用端子５）から出発して正極側端子５に戻ってくるまでに描かれる第１のアンテナループ６と、負極側端子５（図１における左側の接続用端子５）から出発して負極側端子５に戻ってくるまでに描かれる第２のアンテナループ６を備えている。以下、図１を参照しながら、本発明の一筆書きアンテナパターン４の構成について、さらに詳しく説明する。
【００２２】
図１に示すように、第１のアンテナループ６は、正極側端子５（図１における右側の接続用端子５）を出発した後、時計回りにＩＣチップ３を中心とした渦巻きを描いた後に、ＩＣチップ３の側方（図１における右側）で反時計回りにループを描き、反時計回りに渦巻きを描いてＩＣチップ３へ戻るように構成されている。つまり、第１のアンテナループ６は、ＩＣチップ３を中心とした第１の渦巻き状部分７と、ＩＣチップ３の側方に広がる第１のループ状部分８を備えているともいえる。
【００２３】
また、図１に示すように、第２のアンテナループ６は、負極側端子５（図１における左側の接続用端子５）を出発した後、時計回りにＩＣチップ３を中心とした渦巻きを描いた後に、ＩＣチップ３の側方（図１における左側）で時計回りにループを描き、反時計回りに渦巻きを描いてＩＣチップ３へ戻るように構成されている。つまり、第２のアンテナループ６は、ＩＣチップ３を中心とした第２の渦巻き状部分７と、ＩＣチップ３の側方（第１のループ状部分８とは反対側の側方）に広がる第２のループ状部分８を備えているともいえる。
【００２４】
第１のアンテナループ６を描いた後（正極側端子５に戻ってきた後）には、ＩＣチップ３上を通過して、第２のアンテナループ６を描き始める（負極側端子５から出発する）。つまり、ＩＣチップ３の上には、第１のアンテナループ６と第２のアンテナループ６を一筆書きで描くための連絡路パターン９が形成されている（図１では、点線で図示されている）。この連絡路パターン９の部分は、一筆書きアンテナパターン４を描いた後に切断されて除去される。
【００２５】
また、後述するように、複数の無線ＩＣタグ１を連続的に製造する場合には、一つの一筆書きアンテナパターン４を描いた後に、次の一筆書きアンテナパターン４が連続して描かれる。つまり、複数の一筆書きアンテナパターン４の間には、それらを一筆書きで描くための連絡路パターン１０が形成されている（図１では、点線で図示されている）。これらの連絡路パターン１０の部分は、複数の一筆書きアンテナパターン４を描いた後に切断されて除去される。
【００２６】
なお、図１では、一重線で描かれた一筆書きアンテナパターン４の例が図示されているが、一筆書きアンテナパターン４は、複数（例えば二本）の導線が重ねられた複数線（例えば二重線）で描かれてもよい。また、図１では、同じ線を二度以上通らない「一筆書き」の場合が例示されているが、本発明の「一筆書き」では、一筆で（ペン先を持ち上げずに）アンテナパターン４を描ければ、同じ線を二度以上通ってもよい（図７参照）。
【００２７】
以上のように構成された無線ＩＣタグ１の製造方法について、図面を参照して詳しく説明する。
【００２８】
図２は、本実施の形態の無線ＩＣタグ１の製造方法の一例を示す説明図である。無線ＩＣタグ１を製造するときには、図２に示すように、まず、ベースシート２の接着面上に、無線ＩＣタグ１の外形となる矩形１１を（仮想的に）形成し、その矩形１１の中心にＩＣチップ３を載置する。そして、ペン型の一筆書き用デバイス１２を用いて、ベースシート２の接着面上に導線で一筆書きをして、一筆書きアンテナパターン４を形成する。この一筆書き用デバイス１２は、ペン型の本体１３を備えており、本体１３の上部には導線が巻き付けられた状態で保持されており、その導線が本体１３の内部を通って本体１３の下部のペン先から出るように構成されている。したがって、この一筆書き用デバイス１２を用いてベースシート２の接着面上に一筆書きをすると、ペン先から出た導線が接着面上に接着し、一筆書きアンテナパターン４が形成される。
【００２９】
ベースシート２の接着面上に一筆書きをするときには、アンテナパターン４を正確に描くためのガイド（一筆書き用ガイド１４）を用いてもよい。図３は、本実施の形態の無線ＩＣタグ１の製造方法において用いられる一筆書き用ガイド１４の説明図である。図３に示すように、一筆書き用ガイド１４には、一筆書き用デバイス１２のペン先をガイドするためのガイド溝１５〜２６が設けられている。以下、この一筆書き用デバイス１２のガイド溝１５〜２６の構成について、図面を参照しながら詳しく説明する。
【００３０】
図３の例では、一筆書き用ガイド１４は、渦巻き状部分７を描くための横ガイド溝として、正極側端子５の位置から延びる第１の横ガイド溝１５と、第１の横ガイド溝１５の上側に平行に設けられた第２の横ガイド溝１６と、負極側端子５の位置から延びる第３の横ガイド溝１７と、第３の横ガイド溝１７の下側に平行に設けられた第４の横ガイド溝１８を備えている。
【００３１】
また、この一筆書き用ガイド１４は、渦巻き状部分７を描くための縦ガイド溝として、第１の横ガイド溝１５と第４の横ガイド溝１８を連絡する第１の縦ガイド溝１９と、第１の縦ガイド溝１９の右側に平行に設けられ第２の横ガイド溝１６と第４の横ガイド溝１８を連絡する第２の縦ガイド溝２０と、第２の縦ガイド溝２０の右側に平行に設けられ第２の横ガイド溝１６と第１のループ状ガイド溝２１を連絡する第３の縦ガイド溝２２を備えている。なお、第１のループ状ガイド溝２１は、第１のループ状部分８を描くためのガイド溝である。
【００３２】
さらに、この一筆書き用ガイド１４は、渦巻き状部分７を描くための縦ガイド溝として、第２の横ガイド溝１６と第３の横ガイド溝１７を連絡する第４の縦ガイド溝２３と、第４の縦ガイド溝２３の左側に平行に設けられ第２の横ガイド溝１６と第４の横ガイド溝１８を連絡する第５の縦ガイド溝２４と、第５の縦ガイド溝２４の左側に平行に設けられ第４の横ガイド溝１８と第２のループ状ガイド溝２５を連絡する第６の縦ガイド溝２６を備えている。なお、第２のループ状ガイド溝２５は、第２のループ状部分８を描くためのガイド溝である。
【００３３】
図４〜図７は、このような一筆書き用ガイド１４を用いて、導線で一筆書きアンテナパターン４を描くときの様子を示す説明図である。
【００３４】
第１のアンテナループ６を描くときには、図４に示すように、まず、一筆書き用デバイス１２のペン先を、第１の横ガイド溝１５に沿って点Ａから点Ｂまで動かし、第１の縦ガイド溝１９に沿って点Ｂから点Ｃまで動かし、続いて、第４の横ガイド溝１８に沿って点Ｃから点Ｄまで動かし、第５の縦ガイド溝２４に沿って点Ｄから点Ｅまで動かし、さらに、第２の横ガイド溝１６に沿って点Ｅから点Ｆまで動かし、第３の縦ガイド溝２２に沿って点Ｆから点Ｇまで動かして、第１の渦巻き状部分７を描く。次に、一筆書き用デバイス１２のペン先を、第１のループ状ガイド溝２１に沿って、点Ｇから点Ｈ、点Ｈから点Ｉ、点Ｉから点Ｇへと動かして、第１のループ状部分８を描く。そして、一筆書き用デバイス１２のペン先を、第３の縦ガイド溝２２に沿って点Ｇから点Ｆまで動かし、第２の横ガイド溝１６に沿って点Ｆから点Ｅまで動かし、続いて、第５の縦ガイド溝２４に沿って点Ｅから点Ｄまで動かし、第４の横ガイド溝１８に沿って点Ｄから点Ｃまで動かし、さらに、第１の縦ガイド溝１９に沿って点Ｃから点Ｂまで動かし、第１の横ガイド溝１５に沿って点Ｂから点Ａまで動かして、第１の渦巻き状部分７を逆向きに（戻るように）描く。
【００３５】
上記のようにして第１のアンテナループ６を描いた後、図５に示すように、一筆書き用デバイス１２のペン先を点Ａから点Ｊまで動かして（ＩＣチップ３上を通過させて）、第２のアンテナループ６を描き始める。
【００３６】
まず、一筆書き用デバイス１２のペン先を、第３の横ガイド溝１７に沿って点Ｊから点Ｋまで動かし、第４の縦ガイド溝２３に沿って点Ｋから点Ｌまで動かし、続いて、第２の横ガイド溝１６に沿って点Ｌから点Ｍまで動かし、第２の縦ガイド溝２０に沿って点Ｍから点Ｎまで動かし、さらに、第４の横ガイド溝１８に沿って点Ｎから点Ｏまで動かし、第６の縦ガイド溝２６に沿って点Ｏから点Ｐまで動かして、第２の渦巻き状部分７を描く。次に、一筆書き用デバイス１２のペン先を、第２のループ状ガイド溝２５に沿って、点Ｐから点Ｑ、点Ｑから点Ｒ、点Ｒから点Ｐへと動かして、第２のループ状部分８を描く。そして、一筆書き用デバイス１２のペン先を、第６の縦ガイド溝２６に沿って点Ｐから点Ｏまで動かし、第４の横ガイド溝１８に沿って点Ｏから点Ｎまで動かし、続いて、第２の縦ガイド溝２０に沿って点Ｎから点Ｍまで動かし、第２の横ガイド溝１６に沿って点Ｍから点Ｌまで動かし、さらに、第４の縦ガイド溝２３に沿って点Ｌから点Ｋまで動かし、第３の横ガイド溝１７に沿って点Ｋから点Ｊまで動かして、第２の渦巻き状部分７を逆向きに（戻るように）描く。
【００３７】
そして、上記のようにして第２のアンテナループ６を描いた後、一筆書き用デバイス１２のペン先を点Ｊから点Ｓまで動かして、次の一筆書きアンテナパターン４を描き始める。このようにして、複数の一筆書きアンテナパターン４を連続して描画する（図６参照）。そして、これらの一筆書きアンテナパターン４の描画が完了したら、導線と端子５を電気的に接続した後、連絡路パターン９、１０の部分を切断して除去し、無線ＩＣタグ１の外形（矩形１１）に沿ってベースシート２を切り出す（図７参照）。このようにして、無線ＩＣタグ１の製造が行われる。
【００３８】
このような本実施の形態の無線ＩＣタグ１の製造方法によれば、一筆書きをすることによってアンテナパターン４を形成しているので、アンテナパターン４のデザイン変更に容易に対応することができる。この無線ＩＣタグ１の製造方法は、特に、少量多種の無線ＩＣタグ１の製造に適している。
【００３９】
すなわち、本実施の形態では、ベースシート２の接着面上に導線で一筆書きをすることにより、無線ＩＣタグ１のアンテナパターン４を容易に形成することができる。したがって、アンテナパターン４のデザイン変更にも容易に対応することが可能であり、様々なアンテナパターン４のデザインを持つ無線ＩＣタグ１（特に、少量多種の無線ＩＣタグ１）の製造に適している。この場合、細い導線を用いることにより、エッチング加工では製造が困難な線の幅の小さい（細い）アンテナパターン４でも容易に製造することができる。
【００４０】
また、この場合、ＩＣチップ３の二つの端子（正極端子と負極端子）にそれぞれ電気的に接続された接続用端子５（正極側端子と負極側端子）から、それぞれアンテナループ６（例えば、第１と第２のアンテナループ６）が形成される。すなわち、複葉（例えば、二葉）のアンテナループ６（ループ状のアンテナ）がＩＣチップ３の接続用端子５からそれぞれ広げられている。したがって、直線状のアンテナがＩＣチップ３の接続用端子５から延びている場合に比べて、アンテナの感度が高くなり、電波を受信しやすくなる。
【００４１】
なお、本実施の形態では、一筆書きアンテナパターン４が、ＩＣチップ３の接続用端子５（正極側端子と負極側端子）から出発してアンテナループ６６を描いた後に接続用端子５へ戻る例について説明したが、接続用端子５（ストラップともいう）は必ずしも必要ではなく、一筆書きアンテナパターン４は、ＩＣチップ３の二つの端子（正極端子と負極端子）から出発してアンテナループ６６を描いた後にそれらの端子へ戻るように構成してもよい。
【００４２】
また、本実施の形態では、図２〜図７に示すように、複数の無線ＩＣタグ１のアンテナパターン４を一筆書きで連続して形成することができる。したがって、複数の無線ＩＣタグ１を連続的に効率よく製造することができる。
【００４３】
また、本実施の形態では、第１と第２の渦巻き状部分７のアンテナパターン４のデザインを変えることによって、インダクタンスＬの値を調整することができる。例えば、第１と第２の渦巻き状部分７の巻き数や大きさ（図１における縦の長さＸと横の長さＹ）を大きくすることによって、インダクタンスＬの値を大きくすることができる。また、第１と第２のループ状部分８のアンテナパターン４のデザインを変えることによって、電波を受信しやすさを調整することができる。例えば、第１と第２のループ状部分８の大きさ（図１におけるループの直径Ｄ）を大きくすることによって、電波を受信しやすくすることができる。
【００４４】
また、本実施の形態では、複数の導線（例えば、二本の導線）が重ねられた複数線（例えば、二重線）で一筆書きアンテナパターン４が形成されるので、一本の導線を用いた場合に比べて表面波をとらえやすくなり、電波を受信しやすくなる。
【００４５】
さらに、本実施の形態では、無線ＩＣタグ１の厚さが、ほぼ導線の直径分だけであるので、無線ＩＣタグ１を薄くすることが容易である。その上、無線ＩＣタグ１の幅を小さく（細く）することが可能である。したがって、細い形状のタグや小さい円形のタグなど、様々なデザインのタグを容易に製造することができる。
【００４６】
以上、本発明の実施の形態を例示により説明したが、本発明の範囲はこれらに限定されるものではなく、請求項に記載された範囲内において目的に応じて変更・変形することが可能である。
【産業上の利用可能性】
【００４７】
以上のように、本発明にかかる無線ＩＣタグは、アンテナパターンのデザイン変更に容易に対応することができるという効果を有し、蔵書管理システムや検体管理システム等に用いられる無線ＩＣタグとして有用である。
【符号の説明】
【００４８】
１  無線ＩＣタグ
２  ベースシート
３  ＩＣチップ
４  一筆書きアンテナパターン
５  接続用端子
６  アンテナループ
７  渦巻き状部分
８  ループ状部分
９  連絡路パターン
１０  連絡路パターン
１２  一筆書き用デバイス
１４  一筆書き用ガイド
１５  第１の横ガイド溝
１６  第２の横ガイド溝
１７  第３の横ガイド溝
１８  第４の横ガイド溝
１９  第１の縦ガイド溝
２０  第２の縦ガイド溝
２１  第１のループ状ガイド溝
２２  第３の縦ガイド溝
２３  第４の縦ガイド溝
２４  第５の縦ガイド溝
２５  第２のループ状ガイド溝
２６  第６の縦ガイド溝
【図１】
2010263406.tif 000003
【図２】
2010263406.tif 000004
【図３】
2010263406.tif 000005
【図４】
2010263406.tif 000006
【図５】
2010263406.tif 000007
【図６】
2010263406.tif 000008
【図７】
2010263406.tif 000009